(57)【要約】【課題】  隣接妨害が存在する環境でも良好な受信品質を得ることのできるラジオ受信制御装置を提供する。【解決手段】  ラジオ放送局の電波を送信する送信アンテナの設置位置および該電波の送信周波数を記憶した記憶手段２１と、自己の現在位置を検出する現在位置検出手段２１と、電波を受信したアンテナ１１から得られる高周波信号を増幅する高周波増幅器１２と、高周波増幅器の出力を周波数変換した中間周波信号を増幅する中間周波数増幅器１８と、ＡＧＣパラメータに従って高周波増幅器および中間周波数増幅器のゲインを制御するＡＧＣ制御部２０と、現在位置が送信アンテナの設置位置から所定範囲内にあり、且つ受信中の電波の周波数が該送信アンテナから送信される電波の送信周波数と異なる場合に、ＡＧＣ制御部にＡＧＣパラメータを送って高周波増幅器および中間周波数増幅器のゲインの制御を指示する制御手段２２とを備えている。【選択図】        図１
2006237720.tif 000002
【特許請求の範囲】
【請求項１】
ラジオ放送局の電波を送信する送信アンテナの設置位置および該送信アンテナから送信される電波の送信周波数を記憶した記憶手段と、
自己の現在位置を検出する現在位置検出手段と、
電波を受信したアンテナから得られる高周波信号を増幅する高周波増幅器と、
前記高周波増幅器の出力を中間周波数に変換することにより得られた中間周波信号を増幅する中間周波数増幅器と、
ＡＧＣ（Automatic Gain Control）パラメータに従って前記高周波増幅器および前記中間周波数増幅器のゲインを制御するＡＧＣ制御部と、
前記現在位置検出手段によって検出された現在位置が前記記憶手段に記憶されている送信アンテナの設置位置から所定範囲内にあり、且つ受信中の電波の周波数が該送信アンテナから送信される電波の送信周波数として前記記憶手段に記憶されている周波数と異なる場合に、前記ＡＧＣ制御部にＡＧＣパラメータを送って前記高周波増幅器および中間周波数増幅器のゲインの制御を指示する制御手段
とを備えたラジオ受信制御装置。
【請求項２】
記憶手段は、周波数の異なる複数のラジオ放送局の電波を送信する送信アンテナの設置位置を特定ポイントとして記憶し、
前記特定ポイントにおいて受信可能なラジオ放送局の電波の受信に最適なＡＧＣパラメータをラジオ放送局毎に記憶するパラメータ記憶手段を備え、
制御手段は、現在位置検出手段によって検出された現在位置が前記記憶手段に記憶されている特定ポイントから所定範囲内にある場合に、受信中のラジオ放送局に対応するＡＧＣパラメータを前記パラメータ記憶手段から読み出してＡＧＣ制御部に送ることにより高周波増幅器および中間周波数増幅器のゲインの制御を指示する
ことを特徴とする請求項１記載のラジオ受信制御装置。
【請求項３】
高周波増幅器と中間周波数増幅器との間に設けられた複数の帯域通過フィルタと、
フィルタ切替パラメータに従って前記高周波増幅器から出力される高周波信号の通過に使用する帯域フィルタを、前記複数の帯域通過フィルタの中において切り替える帯域通過フィルタ切替器とを備え、
制御手段は、現在位置検出手段によって検出された現在位置が前記記憶手段に記憶されている送信アンテナの設置位置から所定範囲内にあり、且つ受信中の電波の周波数が該送信アンテナから送信される電波の送信周波数として前記記憶手段に記憶されている周波数と異なる場合に、前記ＡＧＣ制御部にＡＧＣパラメータを送って前記高周波増幅器および中間周波数増幅器のゲインの制御を指示し、且つ前記帯域通過フィルタ切替器にフィルタ切替パラメータを送って前記複数の帯域通過フィルタの切り替えを指示する
ことを特徴とする請求項１記載のラジオ受信制御装置。
【請求項４】
記憶手段は、複数のラジオ放送局の電波を送信する送信アンテナの設置位置を特定ポイントとして記憶し、
前記特定ポイントにおいて受信可能なラジオ放送局の電波の受信に最適なＡＧＣパラメータおよびフィルタ切替パラメータをラジオ放送局毎に記憶するパラメータ記憶手段を備え、
制御手段は、現在位置検出手段によって検出された現在位置が前記記憶手段に記憶されている特定ポイントから所定範囲内にある場合に、受信中のラジオ放送局に対応するＡＧＣパラメータを前記パラメータ記憶手段から読み出してＡＧＣ制御部に送ることにより高周波増幅器および中間周波数増幅器のゲインの制御を指示し、且つ受信中のラジオ放送局に対応するフィルタ切替パラメータを前記パラメータ記憶手段から読み出して帯域通過フィルタ切替器に送ることにより複数の帯域通過フィルタの切り替えを指示することを特徴とする請求項３記載のラジオ受信制御装置。
【発明の詳細な説明】
【技術分野】
【０００１】
この発明は、ラジオ放送の受信を制御するラジオ受信制御装置に関し、特に受信品質を向上させる技術に関する。
【背景技術】
【０００２】
従来、目的のラジオ放送局の送信アンテナから送信される電波の周波数が、他のラジオ放送局の送信アンテナから送信される電界レベルの高い電波の周波数によって目的のラジオ放送局からの放送の受信妨害が発生した場合に、帯域通過フィルタの通過帯域幅を最適になるように切り替えることにより、再生されるオーディオ信号に発生する雑音を低減するラジオ受信制御装置が知られている。しかしながら、このラジオ受信制御装置では、目的のラジオ放送局と妨害を発生させるラジオ放送局との放送ソースの干渉やマルチパス妨害によって、帯域通過フィルタの通過帯域幅を最適に選択できないことがある。
【０００３】
そこで、例えば特許文献１は、目的のラジオ放送局と妨害を発生させるラジオ放送局との放送ソースやマルチパスの影響を受けない車載受信装置を開示している。この車載受信装置は、ＦＭ放送を受信しているときに、ナビゲーションシステムによって、自車両が予め登録されているＦＭ放送局の送信アンテナに近づいたことが検出された場合には、その受信電界レベルから、その放送局の周波数が受信中の周波数に妨害を発生する恐れがあると判断し、切り替え制御器に検出信号を送出して、別の通過帯域フィルタを選択するように切替器を制御する。
【０００４】
【特許文献１】特開２００１−５７５２４号公報
【発明の開示】
【発明が解決しようとする課題】
【０００５】
しかしながら、上述した従来の車載受信装置では、他のラジオ放送局の送信アンテナから送信される電波の電界レベルが高いため、他のラジオ放送局の送信アンテナの周辺の領域に自車両が進入した場合に、妨害によって良好な受信品質が得られないという問題がある。
【０００６】
本発明は、このような問題を解消するためになされたものであり、妨害が存在する環境でも良好な受信品質を得ることのできるラジオ受信制御装置を提供することを目的とする。
【課題を解決するための手段】
【０００７】
この発明に係るラジオ受信制御装置は、上記課題を達成するために、ラジオ放送局の電波を送信する送信アンテナの設置位置および該送信アンテナから送信される電波の送信周波数を記憶した記憶手段と、自己の現在位置を検出する現在位置検出手段と、電波を受信したアンテナから得られる高周波信号を増幅する高周波増幅器と、高周波増幅器の出力を中間周波数に変換することにより得られた中間周波信号を増幅する中間周波数増幅器と、ＡＧＣ（Automatic Gain Control）パラメータに従って高周波増幅器および中間周波数増幅器のゲインを制御するＡＧＣ制御部と、現在位置検出手段によって検出された現在位置が記憶手段に記憶されている送信アンテナの設置位置から所定範囲内にあり、且つ受信中の電波の周波数が該送信アンテナから送信される電波の送信周波数として記憶手段に記憶されている周波数と異なる場合に、ＡＧＣ制御部にＡＧＣパラメータを送って高周波増幅器および中間周波数増幅器のゲインの制御を指示する制御手段とを備えている。
【発明の効果】
【０００８】
この発明によれば、記憶手段にラジオ放送局の電波を送信する送信アンテナの設置位置および該送信アンテナから送信される電波の送信周波数を記憶しておき、ラジオ放送の電波を受信中に、現在位置検出手段で検出された自己の現在位置が予め記憶されているラジオ放送局の送信アンテナに近づいたことが判断された場合には、その送信アンテナから送信される電波の電界レベルが高いことに起因して受信中の電波の妨害になる恐れがあると判断し、高周波増幅器および中間周波数増幅器のゲインを制御するように構成したので、妨害となり得る電波による影響を未然に防ぎ、受信品質を向上させることができる。
【発明を実施するための最良の形態】
【０００９】
以下、この発明の実施の形態を、図面を参照しながら詳細に説明する。
実施の形態１．
図１は、この発明の実施の形態１に係るラジオ受信制御装置の構成を示すブロック図である。このラジオ受信制御装置は、アンテナ１１、ＲＦ（Radio Frequency）回路１２、局部発振器１３、周波数変換部１４、中間周波数増幅器１８、検波器１９、ＡＧＣ（Automatic Gain Control）制御部２０、ナビゲーションシステム２１およびマイクロコンピュータ２２から構成されている。
【００１０】
アンテナ１１は、図示しない放送局の送信アンテナから送信される電波を受信する。このアンテナ１１で受信された電波は電気信号に変換され、受信信号としてＲＦ回路１２に送られる。ＲＦ回路１２は、アンテナ１１から送られてくる受信信号の中から希望の周波数の信号を選択する同調回路と、この同調回路によって選択された周波数の信号を、ＡＧＣ制御部２０から送られてくるゲイン制御信号に応じて増幅する高周波増幅器（何れも図示は省略する）を備えている。このＲＦ回路１２から出力される高周波信号は、周波数変換部１４に送られる。
【００１１】
局部発振器１３は、マイクロコンピュータ２２からの指示に応じて、高周波信号を中間周波数の信号に変換するために必要な局部発振周波数の局部発振信号を生成する。この局部発振器１３で生成された局部発振信号は、周波数変換部１４に送られる。周波数変換部１４は、ＲＦ回路１２から送られてくる高周波信号と局部発振器１３からの信号とを混合し、それらの和または差の周波数を作ることにより中間周波数を有する中間周波信号に変換する。この周波数変換部１４で得られた中間周波信号は中間周波数増幅器１８に送られる。
【００１２】
中間周波数増幅器１８は、ＡＧＣ制御部２０から送られてくるゲイン制御信号に従って、周波数変換部１４から送られてくる中間周波信号を増幅する。この中間周波数増幅器１８で増幅された中間周波信号は検波器１９に送られる。検波器１９は、中間周波数増幅器１８から送られてくる中間周波信号を復調し、音声信号を取り出す。この検波器１９で取り出された音声信号は外部（後段の増幅器等）に送られる。
【００１３】
ＡＧＣ制御部２０は、マイクロコンピュータ２２から送られてくるＡＧＣパラメータに従って、ＲＦ回路１２に含まれる高周波増幅器の利得および中間周波数増幅器１８の利得を調整するためのゲイン制御信号を生成する。このＡＧＣ制御部２０で生成されたゲイン制御信号は、ＲＦ回路１２および中間周波数増幅器１８に送られる。
【００１４】
ナビゲーションシステム２１は、ＧＰＳ（Global Positioning System）受信機や車速センサからの信号に基づき自己の現在位置を検出する現在位置検出手段（図示しない）として機能する。また、ナビゲーションシステム２１は、地図情報を記憶する記憶手段（図示しない）を備えている。この記憶手段に記憶される地図情報には、全国に存在する全てのラジオ放送局の送信アンテナの設置位置を表す位置情報と、それらの送信アンテナから送信される電波の送信周波数を表す周波数情報が含まれている。このナビゲーションシステム２１で検出された現在位置を表す現在位置情報、地図情報に含まれる送信アンテナの位置情報および周波数情報は、マイクロコンピュータ２２に送られる。
【００１５】
マイクロコンピュータ２２は、この発明の制御手段に対応し、このラジオ受信制御装置の全体を制御する。具体的には、ナビゲーションシステム２１によって検出された現在位置に基づき、局部発振器１３およびＡＧＣ制御部２０を制御する。このマイクロコンピュータ２２で行われる処理の詳細は後述する。
【００１６】
また、マイクロコンピュータ２２は、メモリ２２ａを備えている。このメモリ２２ａは、この発明のパラメータ記憶手段に対応し、送信アンテナから自車両までの距離に応じて使用するべきＡＧＣパラメータを規定したテーブルを格納している。今、送信アンテナＡからの距離Ｌ１、Ｌ２およびＬ３（Ｌ１＞Ｌ２＞Ｌ３）が図２に示すように区分されているものとすると、メモリ２２ａに格納されるテーブルには、図３に示すように、送信アンテナＡから自車両までの距離Ｄに応じて、使用すべきＡＧＣパラメータが格納されている。図３において、ＡＧＣパラメータの欄の「−」は、ＡＧＣ制御が行われないことを示している。また、ＡＧＣパラメータＡＧＣ２による制御量がＡＧＣパラメータＡＧＣ１による制御量より大きいものとする。
【００１７】
次に、上記のように構成される、この発明の実施の形態１に係るラジオ受信制御装置の動作を、図４に示すフローチャートを参照しながら説明する。
【００１８】
まず、ラジオ受信制御装置が起動されると、ラジオ受信中という状態に入る（ステップＳＴ１０）。この状態では、ラジオ受信制御装置は、送信アンテナＢからの電波を受信しているものとする。このラジオ受信中において、送信アンテナＡから自車両の現在位置までの距離Ｄが距離Ｌ１より大きいかどうかが調べられる（ステップＳＴ１１）。具体的には、マイクロコンピュータ２２は、ナビゲーションシステム２１から現在位置情報および送信アンテナの位置情報を取得し、この取得した現在位置情報で示される現在位置から送信アンテナの位置情報で示される位置までの距離Ｄが距離Ｌ１より大きいかどうかを調べる。
【００１９】
このステップＳＴ１１において、距離Ｄが距離Ｌ１より大きいことが判断されると、受信中の周波数に対して妨害となる恐れがないものと認識され、ＡＧＣ制御が停止される（ステップＳＴ１２）。すなわち、マイクロコンピュータ２２は、ＡＧＣ制御部２０に所定のパラメータを送ることにより、ＡＧＣ制御部２０の動作を停止させる。これにより、ＡＧＣ制御部２０からのゲイン制御信号の出力が停止される。その後、シーケンスはステップＳＴ１１に戻る。
【００２０】
上記ステップＳＴ１１において、距離Ｄが距離Ｌ１より大きくないことが判断されると、次いで、受信中の周波数に対して妨害となる恐れがあるかどうかが調べられる（ステップＳＴ１３）。すなわち、マイクロコンピュータ２２は、ナビゲーションシステム２１から送信アンテナの周波数情報を取得し、この取得した周波数情報によって示される周波数と、現在受信中の電波の周波数とが近接するかどうかを調べる。
【００２１】
このステップＳＴ１３において、受信中の周波数に対して妨害となる恐れがあることが判断されると、次いで、距離Ｌ２＜距離Ｄ＜距離Ｌ１であるかどうかが調べられる（ステップＳＴ１４）。ここで、距離Ｌ２＜距離Ｄ＜距離Ｌ１であることが判断されると、ＡＧＣパラメータＡＧＣ１を用いたＡＧＣ制御が行われる（ステップＳＴ１５）。すなわち、マイクロコンピュータ２２は、メモリ２２ａからＡＧＣパラメータＡＧＣ１を取り出してＡＧＣ制御部２０に送ることにより、ＡＧＣ制御部２０からゲイン制御信号を出力させる。これにより、ＡＧＣパラメータＡＧＣ１に応じて、ＲＦ回路１２に含まれる高周波増幅器の利得および中間周波数増幅器１８の利得が調整される。その後、シーケンスはステップＳＴ１１に戻る。
【００２２】
上記ステップＳＴ１４において、距離Ｌ２＜距離Ｄ＜距離Ｌ１でないことが判断されると、次いで、距離Ｌ３＜距離Ｄ＜距離Ｌ２であるかどうかが調べられる（ステップＳＴ１６）。ここで、距離Ｌ３＜距離Ｄ＜距離Ｌ２であることが判断されると、ＡＧＣパラメータＡＧＣ２を用いたＡＧＣ制御が行われる（ステップＳＴ１７）。すなわち、マイクロコンピュータ２２は、メモリ２２ａからＡＧＣパラメータＡＧＣ２を取り出してＡＧＣ制御部２０に送ることにより、ＡＧＣ制御部２０からゲイン制御信号を出力させる。これにより、ＡＧＣパラメータＡＧＣ２に応じて、ＲＦ回路１２に含まれる高周波増幅器の利得および中間周波数増幅器１８の利得が調整される。その後、シーケンスはステップＳＴ１１に戻る。
【００２３】
上記ステップＳＴ１６において、距離Ｌ３＜距離Ｄ＜距離Ｌ２でないことが判断されると、距離Ｄ＜距離Ｌ３と判断し、ＡＧＣパラメータＡＧＣ３を用いたＡＧＣ制御が行われる（ステップＳＴ１８）。
【００２４】
以上の処理により、自車両が図２の破線で示すように、Ｘ１→Ｘ２→Ｘ３→Ｘ４→Ｘ５→Ｘ６→Ｘ７と移動したとすると、自車両の各位置で使用されるＡＧＣパラメータは、図５に示すように変化する。すなわち、自車両が送信アンテナＡから遠い位置では制御量が小さいＡＧＣパラメータＡＧＣ１が使用され、自車両が送信アンテナＡに近づくに連れて制御量が大きいＡＧＣパラメータＡＧＣ２が使用される。これにより、自車両が妨害を起こす恐れのある送信アンテナＡに近づくに連れてＡＧＣ制御部２０は、ＲＦ回路１２の内部の高周波増幅器および中間周波数増幅器１８の利得を落とす制御を行うので、妨害を軽減することができる。
【００２５】
以上説明したように、この発明の実施の形態１に係るラジオ受信制御装置によれば、ナビゲーションシステム２１の記憶手段に記憶された地図情報に、ラジオ放送局の電波を送信する送信アンテナの設置位置および該送信アンテナから送信される電波の送信周波数を含めておき、ラジオ放送の電波を受信中に、ナビゲーションシステム２１に含まれる現在位置検出手段で検出された自己の現在位置が、地図情報に含まれる他のラジオ放送局の送信アンテナに近づいたことが判断された場合には、その送信アンテナからの送信される電波の電界レベルが高いことに起因して受信中の電波の妨害になる恐れがあると判断し、ＲＦ回路１２に含まれる高周波増幅器および中間周波数増幅器１８のゲインを制御するように構成したので、妨害となり得る電波による影響を未然に防ぎ、受信品質を向上させることができる。
【００２６】
なお、上述した実施の形態１に係るラジオ受信制御装置では、送信アンテナＡから自車位置までの距離を３段階（距離Ｌ１、Ｌ２およびＬ３）に分けてＡＧＣパラメータを変更するように構成したが、送信アンテナＡから自車位置までの距離は３段階に限らず任意である。また、各段階で使用するＡＧＣパラメータとして、ＡＧＣ１およびＡＧＣ２といった２種類のパラメータを使用したが、ＡＧＣパラメータの種類は、２種類に限定されず、任意である。
【００２７】
実施の形態２．
この発明の実施の形態２に係るラジオ受信制御装置は、実施の形態１に係るラジオ受信制御装置において、複数のラジオ放送局の電波、つまり周波数が異なる電波を送信する送信アンテナの設置位置、例えば東京タワーを特定ポイントとし、この特定ポイントから所定範囲に進入した場合に、最適な受信状態になるように制御するものである。
【００２８】
この実施の形態２に係るラジオ受信制御装置の構成は、図１に示した実施の形態１に係るラジオ受信制御装置の構成と同じである。ただし、ナビゲーションシステム２１の記憶手段（図示しない）に記憶された地図情報には、特定ポイントの位置を表す位置情報が格納されている。また、マイクロコンピュータ２２のメモリ２２ａには、図示は省略するが、特定ポイントにおける各ラジオ放送局の電波を受信するのに最適なＡＧＣパラメータがラジオ放送局毎に格納されている。
【００２９】
次に、この実施の形態２に係るラジオ受信制御装置の動作を、図６に示すフローチャートを参照しながら説明する。なお、以下では、図４に示した実施の形態１に係るラジオ受信制御装置において実行される処理と同一の処理を行うステップには、同一の符号を付して説明を簡略化する。
【００３０】
まず、ラジオ受信制御装置が起動されると、ラジオ受信中という状態に入る（ステップＳＴ１０）。この状態では、ラジオ受信制御装置は、送信アンテナＢからの電波を受信しているものとする。このラジオ受信中において、送信アンテナＡから自車両の現在位置までの距離Ｄが距離Ｌ１より大きいかどうかが調べられる（ステップＳＴ１１）。このステップＳＴ１１において、距離Ｄが距離Ｌ１より大きいことが判断されると、受信中の周波数に対して妨害となる恐れがないものと認識され、ＡＧＣ制御が停止される（ステップＳＴ１２）。
【００３１】
上記ステップＳＴ１１において、距離Ｄが距離Ｌ１より大きくないことが判断されると、次いで、自車両の現在位置が特定ポイントから所定距離内にあるかどうかが調べられる（ステップＳＴ２０）。具体的には、マイクロコンピュータ２２は、ナビゲーションシステム２１から現在位置情報および特定ポイントの位置情報を取得し、この取得した現在位置情報で示される現在位置から特定ポイントの位置情報で示される位置までの距離が所定距離以内であるかどうかを調べる。
【００３２】
このステップＳＴ２０において、自車両の現在位置が特定ポイントから所定距離内にないことが判断されると、以下、上述した実施の形態１の場合と同様の処理が実行される。すなわち、受信中の周波数に対して妨害となる恐れがないかどうかが調べられる（ステップＳＴ１３）。ここで、受信中の周波数に対して妨害となる恐れがないことが判断されると、次いで、距離Ｌ２＜距離Ｄ＜距離Ｌ１であるかどうかが調べられる（ステップＳＴ１４）。ここで、距離Ｌ２＜距離Ｄ＜距離Ｌ１であることが判断されると、ＡＧＣパラメータＡＧＣ１を用いたＡＧＣ制御が行われる（ステップＳＴ１５）。
【００３３】
一方、ステップＳＴ１４において、距離Ｌ２＜距離Ｄ＜距離Ｌ１でないことが判断されると、次いで、距離Ｌ３＜距離Ｄ＜距離Ｌ２であるかどうかが調べられる（ステップＳＴ１６）。ここで、距離Ｌ３＜距離Ｄ＜距離Ｌ２であることが判断されると、ＡＧＣパラメータＡＧＣ２を用いたＡＧＣ制御が行われる（ステップＳＴ１７）。その後、シーケンスはステップＳＴ１１に戻る。ステップＳＴ１６において、距離Ｌ３＜距離Ｄ＜距離Ｌ２でないことが判断されると、距離Ｄ＜距離Ｌ３と判断し、ＡＧＣパラメータＡＧＣ３を用いたＡＧＣ制御が行われる（ステップＳＴ１８）。
【００３４】
上記ステップＳＴ２０において、自車両の現在位置が特定ポイントから所定距離内にあることが判断されると、受信周波数の確認が行われる（ステップＳＴ２１）。すなわち、マイクロコンピュータ２２は、現在受信しているラジオ放送局の電波の周波数を確認する。なお、この受信周波数は、図示しない操作パネルからの指示によって選局が行われた際の周波数であり、マイクロコンピュータ２２の内部に記憶されているものとする。
【００３５】
次いで、受信周波数毎に登録されているＡＧＣ制御への切替が行われる（ステップＳＴ２２）。具体的には、マイクロコンピュータ２２は、ステップＳＴ２１で確認された周波数に対応するＡＧＣパラメータをメモリ２２ａから取り出してＡＧＣ制御部２０に送ることにより、ＡＧＣ制御部２０からゲイン制御信号を出力させる。これにより、ＡＧＣパラメータに応じて、ＲＦ回路１２に含まれる高周波増幅器の利得および中間周波数増幅器１８の利得が調整され、その場所において最適な受信状態に設定される。
【００３６】
次いで、自車両の現在位置が特定ポイントから所定距離内にあるかどうかが調べられる（ステップＳＴ２３）。この処理の詳細は、上述したステップＳＴ２０の処理と同じである。このステップＳＴ２３で、自車両の現在位置が特定ポイントから所定距離内にあることが判断されると、このステップＳＴ２３を繰り返し実行しながら待機する。そして、このステップＳＴ２３の繰り返し実行による待機中に、自車両の現在位置が特定ポイントから所定距離内にないことが判断されると、シーケンスはステップＳＴ１１に戻る。
【００３７】
以上説明したように、この発明の実施の形態２に係るラジオ受信制御装置によれば、複数のラジオ放送局の電波を送信する送信アンテナが設置された特定ポイントから所定範囲に進入した場合に、予め登録されているＡＧＣパラメータを用いてＡＧＣ制御が行われることにより最適な受信状態になるように制御される。従って、特定ポイントの周辺においても、妨害となり得る複数の電波による影響を未然に防ぎ、受信品質を向上させることができる。
【００３８】
実施の形態３．
この発明の実施の形態３に係るラジオ受信制御装置は、実施の形態１に係るラジオ受信制御装置において、ＡＧＣ制御に加え、受信信号を通過させる帯域を制御することにより受信品質を向上させるようにしたものである。
【００３９】
図７は、この発明の実施の形態３に係るラジオ受信制御装置の構成を示すブロック図である。このラジオ受信制御装置は、実施の形態１に係るラジオ受信制御装置の周波数変換部１４と中間周波数増幅器１８との間に、帯域通過フィルタ切替器１５および第１帯域通過フィルタ１６1 〜第３帯域通過フィルタ１６3 が追加されて構成されている。以下では、実施の形態１と相違する部分を中心に説明する。
【００４０】
帯域通過フィルタ切替器１５は、マイクロコンピュータ２２から送られてくるフィルタ切替パラメータに従って、周波数変換部１４から送られてくる中間周波信号を、第１帯域通過フィルタ１６1 〜第３帯域通過フィルタ１６3 の何れに送るかを切り替える。
【００４１】
第１帯域通過フィルタ１６1 〜第３帯域通過フィルタ１６3 の各々は、通過させる周波数帯域が異なるフィルタである。第１帯域通過フィルタ１６1 の帯域幅が最も広く、第３帯域通過フィルタ１６3 の帯域幅が最も狭い。初期状態では、第１帯域通過フィルタ１６1 が選択される。これら第１帯域通過フィルタ１６1 〜第３帯域通過フィルタ１６3 の何れかを通過した中間周波信号が中間周波数増幅器１８に送られる。
【００４２】
また、メモリ２２ａは、送信アンテナから自車両までの距離に応じて使用するべきＡＧＣパラメータおよびフィルタ切替パラメータを規定したテーブルを格納している。今、送信アンテナＡからの距離Ｌ１、Ｌ２およびＬ３（Ｌ１＞Ｌ２＞Ｌ３）が図２に示すように区分されているものとすると、メモリ２２ａに格納されるテーブルには、図８に示すように、送信アンテナＡから自車両までの距離Ｄに応じて、使用すべきＡＧＣパラメータおよびフィルタ切替パラメータが格納されている。図８において、ＡＧＣパラメータの欄の「−」は、ＡＧＣ制御が行われないことを示している。また、ＡＧＣパラメータＡＧＣ２による制御量がＡＧＣパラメータＡＧＣ１による制御量より大きいものとする。また、フィルタ切替パラメータのフィルタ１〜フィルタ３は、第１帯域通過フィルタ１６1 〜第３帯域通過フィルタ１６3 をそれぞれ選択するためのパラメータである。
【００４３】
次に、上記のように構成される、この発明の実施の形態３に係るラジオ受信制御装置の動作を、図９に示すフローチャートを参照しながら説明する。なお、以下では、図４に示した実施の形態１に係るラジオ受信制御装置において実行される処理と同一の処理を行うステップには、同一の符号を付して説明を簡略化する。
【００４４】
まず、ラジオ受信制御装置が起動されると、ラジオ受信中という状態に入る（ステップＳＴ１０）。この状態では、ラジオ受信制御装置は、送信アンテナＢからの電波を受信しているものとする。このラジオ受信中において、送信アンテナＡから自車両の現在位置までの距離Ｄが距離Ｌ１より大きいかどうかが調べられる（ステップＳＴ１１）。
【００４５】
このステップＳＴ１１において、距離Ｄが距離Ｌ１より大きいことが判断されると、受信中の周波数に対して妨害となる恐れがないものと認識され、ＡＧＣ制御が停止されるとともに第１帯域通過フィルタ１６1 が選択される（ステップＳＴ３０）。すなわち、マイクロコンピュータ２２は、ＡＧＣ制御部２０に所定のパラメータを送ることによりＡＧＣ制御部２０の動作を停止させる。これにより、ＡＧＣ制御部２０からのゲイン制御信号の出力が停止される。また、マイクロコンピュータ２２は、帯域通過フィルタ切替器１５に、フィルタ切替パラメータとして「フィルタ１」を送る。これにより、帯域通過フィルタ切替器１５は、第１帯域通過フィルタ１６1 を選択する。その後、シーケンスはステップＳＴ１１に戻る。
【００４６】
上記ステップＳＴ１１において、距離Ｄが距離Ｌ１より大きくないことが判断されると、次いで、受信中の周波数に対して妨害となる恐れがあるかどうかが調べられる（ステップＳＴ１３）。このステップＳＴ１３において、受信中の周波数に対して妨害となる恐れがある。ことが判断されると、次いで、距離Ｌ２＜距離Ｄ＜距離Ｌ１であるかどうかが調べられる（ステップＳＴ１４）。ここで、距離Ｌ２＜距離Ｄ＜距離Ｌ１であることが判断されると、ＡＧＣパラメータＡＧＣ１を用いたＡＧＣ制御および第２帯域通過フィルタの選択が行われる（ステップＳＴ３１）。
【００４７】
すなわち、マイクロコンピュータ２２は、メモリ２２ａからＡＧＣパラメータＡＧＣ１を取り出してＡＧＣ制御部２０に送ることにより、ＡＧＣ制御部２０からゲイン制御信号を出力させる。これにより、ＡＧＣパラメータＡＧＣ１に応じて、ＲＦ回路１２に含まれる高周波増幅器の利得および中間周波数増幅器１８の利得が調整される。また、マイクロコンピュータ２２は、メモリ２２ａからフィルタ切替パラメータ「フィルタ２」を取り出して帯域通過フィルタ切替器１５に送る。これにより、第２帯域通過フィルタ１６2 が選択され、周波数変換部１４から出力される中間周波信号は第２帯域通過フィルタ１６2 を通過して中間周波数増幅器１８に送られる。従って、フィルタ切替パラメータとして「フィルタ１」が使用される場合に較べて、通過される中間周波信号の帯域が狭められるので、送信アンテナＡから送信される電波の影響を小さくすることができる。その後、シーケンスはステップＳＴ１１に戻る。
【００４８】
上記ステップＳＴ１４において、距離Ｌ２＜距離Ｄ＜距離Ｌ１でないことが判断されると、次いで、距離Ｌ３＜距離Ｄ＜距離Ｌ２であるかどうかが調べられる（ステップＳＴ１６）。ここで、距離Ｌ３＜距離Ｄ＜距離Ｌ２であることが判断されると、ＡＧＣパラメータＡＧＣ２を用いたＡＧＣ制御および第３帯域通過フィルタの選択が行われる（ステップＳＴ３２）。
【００４９】
すなわち、マイクロコンピュータ２２は、メモリ２２ａからＡＧＣパラメータＡＧＣ２を取り出してＡＧＣ制御部２０に送ることにより、ＡＧＣ制御部２０からゲイン制御信号を出力させる。これにより、ＡＧＣパラメータＡＧＣ２に応じて、ＲＦ回路１２に含まれる高周波増幅器の利得および中間周波数増幅器１８の利得が調整される。また、マイクロコンピュータ２２は、メモリ２２ａからフィルタ切替パラメータ「フィルタ３」を取り出して帯域通過フィルタ切替器１５に送る。これにより、第３帯域通過フィルタ１６3 が選択され、周波数変換部１４から出力される中間周波信号は第２帯域通過フィルタ１６3 を通過して中間周波数増幅器１８に送られる。従って、フィルタ切替パラメータとして「フィルタ２」が使用される場合に較べて、通過される中間周波信号の帯域が更に狭められるので、送信アンテナＡから送信される電波の影響を更に小さくすることができる。その後、シーケンスはステップＳＴ１１に戻る。
【００５０】
上記ステップＳＴ１６において、距離Ｌ３＜距離Ｄ＜距離Ｌ２でないことが判断されると、距離Ｄ＜距離Ｌ３と判断し、ＡＧＣパラメータＡＧＣ３を用いたＡＧＣ制御が行われる（ステップＳＴ１８）。
【００５１】
以上の処理により、自車両が図２の破線で示すように、Ｘ１→Ｘ２→Ｘ３→Ｘ４→Ｘ５→Ｘ６→Ｘ７と移動したとすると、自車両の各位置で使用されるＡＧＣパラメータおよびフィルタ切替パラメータは、図１０に示すように変化する。すなわち、自車両が送信アンテナＡから遠い位置では制御量を小さくするＡＧＣパラメータが使用されるとともに、帯域幅を広くするフィルタ切替パラメータが使用され、自車両が送信アンテナＡに近づくに連れて制御量を大きくするＡＧＣパラメータが使用されるとともに、帯域幅を狭くするフィルタ切替パラメータが使用される。これにより、自車両が妨害を起こす恐れのある送信アンテナＡに近づくに連れてＡＧＣ制御部２０は、ＲＦ回路１２の内部の高周波増幅器および中間周波数増幅器１８の利得を落とす制御を行ない、また、帯域通過フィルタ切替器１５は、通過させる中間周波信号の帯域幅を狭くする制御を行うので、実施の形態１に係るラジオ受信制御装置に較べて、更に妨害を軽減することができる。
【００５２】
以上説明したように、この発明の実施の形態３に係るラジオ受信制御装置によれば、ナビゲーションシステム２１の記憶手段に記憶された地図情報に、ラジオ放送局の電波を送信する送信アンテナの設置位置および該送信アンテナから送信される電波の送信周波数を含めておき、ラジオ放送の電波を受信中に、ナビゲーションシステム２１に含まれる現在位置検出手段で検出された自己の現在位置が、地図情報に含まれる他のラジオ放送局の送信アンテナに近づいたことが判断された場合には、その送信アンテナからの送信される電波の電界レベルが高いことに起因して受信中の電波の妨害になる恐れがあると判断し、ＲＦ回路１２に含まれる高周波増幅器および中間周波数増幅器１８のゲインを制御するとともに、通過させる中間周波信号の帯域幅を狭くする制御を行うように構成したので、妨害となり得る電波による影響を未然に防ぎ、受信品質を向上させることができる。
【００５３】
なお、上述した実施の形態３に係るラジオ受信制御装置では、送信アンテナＡから自車位置までの距離を３段階（距離Ｌ１、Ｌ２およびＬ３）に分けてＡＧＣパラメータおよびフィルタ切替パラメータを変更するように構成したが、送信アンテナＡから自車位置までの距離は３段階に限らず任意である。また、各段階で使用するＡＧＣパラメータとして、ＡＧＣ１およびＡＧＣ２といった２種類のパラメータを使用したが、ＡＧＣパラメータの種類は、２種類に限定されず、任意である。更に、各段階で使用するフィルタ切替パラメータとして、フィルタ１、フィルタ２およびフィルタ３といった３種類のパラメータを使用したが、フィルタ切替パラメータの種類は、３種類に限定されず、任意である。
【００５４】
実施の形態４．
この発明の実施の形態４に係るラジオ受信制御装置は、実施の形態３に係るラジオ受信制御装置に対して、実施の形態２に係るラジオ受信制御装置の技術を適用したものである。
【００５５】
この実施の形態４に係るラジオ受信制御装置の構成は、図７に示した実施の形態３に係るラジオ受信制御装置の構成と同じである。ただし、ナビゲーションシステム２１の記憶手段（図示しない）に記憶された地図情報には、特定ポイントの位置を表す位置情報が格納されている。また、マイクロコンピュータ２２のメモリ２２ａには、図示は省略するが、特定ポイントにおける各ラジオ放送局の電波を受信するのに最適なＡＧＣパラメータおよびフィルタ切替パラメータがラジオ放送局毎に格納されている。
【００５６】
次に、この実施の形態４に係るラジオ受信制御装置の動作を、図１１に示すフローチャートを参照しながら説明する。なお、以下では、図９に示した実施の形態３に係るラジオ受信制御装置において実行される処理と同一の処理を行うステップ、および図６に示した実施の形態２に係るラジオ受信制御装置において実行される処理と同一の処理を行うステップには、それぞれ同一の符号を付して説明を簡略化する。
【００５７】
まず、ラジオ受信制御装置が起動されると、ラジオ受信中という状態に入る（ステップＳＴ１０）。この状態では、ラジオ受信制御装置は、送信アンテナＢからの電波を受信しているものとする。このラジオ受信中において、送信アンテナＡから自車両の現在位置までの距離Ｄが距離Ｌ１より大きいかどうかが調べられる（ステップＳＴ１１）。このステップＳＴ１１において、距離Ｄが距離Ｌ１より大きいことが判断されると、受信中の周波数に対して妨害となる恐れがないものと認識され、ＡＧＣ制御が停止されるとともに第１帯域通過フィルタ１６1 が選択される（ステップＳＴ３０）。
【００５８】
上記ステップＳＴ１１において、距離Ｄが距離Ｌ１より大きくないことが判断されると、次いで、自車両の現在位置が特定ポイントから所定距離内にあるかどうかが調べられる（ステップＳＴ２０）。このステップＳＴ２０において、自車両の現在位置が特定ポイントから所定距離内にないことが判断されると、受信中の周波数に対して妨害となる恐れがあるかどうかが調べられる（ステップＳＴ１３）。ここで、受信中の周波数に対して妨害となる恐れがないことが判断されると、次いで、距離Ｌ２＜距離Ｄ＜距離Ｌ１であるかどうかが調べられる（ステップＳＴ１４）。ここで、距離Ｌ２＜距離Ｄ＜距離Ｌ１であることが判断されると、ＡＧＣパラメータＡＧＣ１を用いたＡＧＣ制御および第２帯域通過フィルタの選択が行われる（ステップＳＴ３１）。
【００５９】
一方、ステップＳＴ１４において、距離Ｌ２＜距離Ｄ＜距離Ｌ１でないことが判断されると、次いで、距離Ｌ３＜距離Ｄ＜距離Ｌ２であるかどうかが調べられる（ステップＳＴ１６）。ここで、距離Ｌ３＜距離Ｄ＜距離Ｌ２であることが判断されると、ＡＧＣパラメータＡＧＣ２を用いたＡＧＣ制御および第３帯域通過フィルタの選択が行われる（ステップＳＴ３２）。その後、シーケンスはステップＳＴ１１に戻る。ステップＳＴ１６において、距離Ｌ３＜距離Ｄ＜距離Ｌ２でないことが判断されると、距離Ｄ＜距離Ｌ３と判断し、ＡＧＣパラメータＡＧＣ３を用いたＡＧＣ制御が行われる（ステップＳＴ１８）。
【００６０】
上記ステップＳＴ２０において、自車両の現在位置が特定ポイントから所定距離内にあることが判断されると、受信周波数の確認が行われる（ステップＳＴ２１）。次いで、受信周波数毎に登録されているＡＧＣ制御および帯域通過フィルタの選択への切替が行われる（ステップＳＴ４０）。
【００６１】
具体的には、マイクロコンピュータ２２は、ステップＳＴ２１で確認された周波数に対応するＡＧＣパラメータをメモリ２２ａから取り出してＡＧＣ制御部２０に送ることにより、ＡＧＣ制御部２０からゲイン制御信号を出力させる。これにより、ＡＧＣパラメータに応じて、ＲＦ回路１２に含まれる高周波増幅器の利得および中間周波数増幅器１８の利得が調整される。また、マイクロコンピュータ２２は、ステップＳＴ２１で確認された周波数に対応するフィルタ切替パラメータをメモリ２２ａから取り出して帯域通過フィルタ切替器１５に送ることにより、１つのフィルタを選択する。これにより、フィルタ切替パラメータに応じた１つの帯域通過フィルタが選択され、中間周波信号を通過させる帯域が決定される。これらＡＧＣ制御及び帯域通過フィルタの選択により、その場所において最適な受信状態に設定される。
【００６２】
次いで、自車両の現在位置が特定ポイントから所定距離内にあるかどうかが調べられる（ステップＳＴ２３）。このステップＳＴ２３で、自車両の現在位置が特定ポイントから所定距離内にあることが判断されると、このステップＳＴ２３を繰り返し実行しながら待機する。そして、このステップＳＴ２３の繰り返し実行による待機中に、自車両の現在位置が特定ポイントから所定距離内にないことが判断されると、シーケンスはステップＳＴ１１に戻る。
【００６３】
以上説明したように、この発明の実施の形態４に係るラジオ受信制御装置によれば、複数のラジオ放送局の電波を送信する送信アンテナが設置された特定ポイントから所定範囲に進入した場合に、予め登録されているＡＧＣパラメータを用いてＡＧＣ制御が行われるとともに、予め登録されているフィルタ切替パラメータを用いて帯域通過フィルタの選択が行われることにより最適な受信状態になるように制御される。従って、特定ポイントの周辺においても、妨害となり得る複数の電波による影響を未然に防ぎ、受信品質を向上させることができる。
【００６４】
なお、上述した実施の形態１〜４に係るラジオ受信制御装置は、以下のように変形できる。すなわち、ＡＭ放送を受信する場合、時間帯（例えば昼間と夜間）や季節（例えば夏期や冬期）によって受信状況が変化するので、時間帯および季節毎に最適なＡＧＣパラメータおよび／またはフィルタ切替パラメータをメモリ２２ａに予め登録しておき、マイクロコンピュータ２２は、ナビゲーションシステム２１から取得した日付情報および時刻情報によって示される時点で最適なＡＧＣパラメータおよび／またはフィルタ切替パラメータをメモリ２２ａから取得し、これらを用いてＡＧＣ制御および帯域通過フィルタの選択を行うように構成できる。この構成によれば、時間帯および季節に無関係に良好な受信状態を得ることができる。
【００６５】
また、地域毎に受信可能なラジオ放送局の周波数情報をナビゲーションシステム２１に予め登録しておき、自動選局操作によって任意の放送局を選択する場合、その地域で受信できる周波数としてナビゲーションシステム２１に予め登録されていない周波数では自動選局（ストップ）しないように構成できる。この構成によれば、ラジオ受信制御装置の誤作動による自動選局の誤り（ミスストップ）を防止することができる。
【図面の簡単な説明】
【００６６】
【図１】この発明の実施の形態１に係るラジオ受信制御装置の構成を示すブロック図である。
【図２】この発明の実施の形態１に係るラジオ受信制御装置の動作を説明するための図である。
【図３】この発明の実施の形態１に係るラジオ受信制御装置で使用されるＡＧＣパラメータの例を示す図である。
【図４】この発明の実施の形態１に係るラジオ受信制御装置の動作を示すフローチャートである。
【図５】この発明の実施の形態１に係るラジオ受信制御装置の動作を説明するための図である。
【図６】この発明の実施の形態２に係るラジオ受信制御装置の動作を示すフローチャートである。
【図７】この発明の実施の形態３に係るラジオ受信制御装置の構成を示すブロック図である。
【図８】この発明の実施の形態３に係るラジオ受信制御装置で使用されるＡＧＣパラメータおよびフィルタ切替パラメータの例を示す図である。
【図９】この発明の実施の形態３に係るラジオ受信制御装置の動作を示すフローチャートである。
【図１０】この発明の実施の形態３に係るラジオ受信制御装置の動作を説明するための図である。
【図１１】この発明の実施の形態４に係るラジオ受信制御装置の動作を示すフローチャートである。
【符号の説明】
【００６７】
１１  アンテナ、１２  ＲＦ回路、１３  局部発振器、１４  周波数変換部、１５  帯域通過フィルタ切替器、１６1 〜１６3   第１帯域通過フィルタ〜第３帯域通過フィルタ、１８  中間周波数増幅器、１９  検波器、２０  ＡＧＣ制御部、２１  ナビゲーションシステム、２２  マイクロコンピュータ、２２ａ  メモリ。
【図１】
2006237720.tif 000003
【図２】
2006237720.tif 000004
【図３】
2006237720.tif 000005
【図４】
2006237720.tif 000006
【図５】
2006237720.tif 000007
【図６】
2006237720.tif 000008
【図７】
2006237720.tif 000009
【図８】
2006237720.tif 000010
【図９】
2006237720.tif 000011
【図１０】
2006237720.tif 000012
【図１１】
2006237720.tif 000013